(57)【要約】【課題】具体的な材料処方で実用性のある圧着用はがきの粉体接着剤を作製してその実用的具体的塗布方法を提供する。【解決手段】軟化点１２０℃のポリエステル樹脂を主成分とする粉体接着剤Ａと軟化温度１１０±４℃の炭化水素系樹脂を主成分とする粉体接着剤Ｂの２種類の粉体接着剤を作製する。感光体ドラム６、帯電器７、記録ヘッド８、現像器９、現像ローラ１１を備えた画像形成部２及び３と、搬送ベルト１２、定着器４、両面印刷搬送機構５を有する粉体接着剤塗布装置１の２つの現像器９に粉体接着剤Ａ及びＢを収容する。秘匿情報印字済みの三つ折り圧着用はがきの表面の圧着すべき２面に粉体接着剤Ａ及びＢを転写して定着し、両面印刷搬送機構５で反転させ、裏面の圧着すべき２面に粉体接着剤Ａ及びＢを転写し定着して塗布が完了する。【選択図】      図１
2007050567.tif 000002
【特許請求の範囲】
【請求項１】
三つ折り圧着用はがきの圧着すべき２面に一度の塗布処理で物性の異なる粉体接着剤をそれぞれ塗布することを特徴とする圧着用はがきの粉体接着剤塗布方法。
【請求項２】
少なくとも第１と第２の画像形成部と、定着器と、両面印刷搬送機構とを備え、
前記第１と第２の画像形成部に物性の異なる第１と第２の粉体接着剤をそれぞれ収容し、
該第１と第２の粉体接着剤を前記第１と第２の画像形成部の現像部でそれぞれ現像し、
三つ折り圧着用はがきの三つ折り前の展開された長手方向を搬送方向として前記三つ折り圧着用はがきを搬送し、
該三つ折り圧着用はがきの表面の圧着すべき２面に、前記第１と第２の画像形成部で現像された前記第１と第２の粉体接着剤を前記第１と第２の画像形成部の転写部でそれぞれ転写し、
該２面に転写された前記第１と第２の粉体接着剤を前記定着器により定着し、
前記両面印刷搬送機構により前記三つ折り圧着用はがきの裏面を表側に反転させて搬送し、
前記第１と第２の粉体接着剤を前記第１と第２の画像形成部の現像部でそれぞれ現像し
前記三つ折り圧着用はがきの裏面の圧着すべき２面に、前記第１と第２の画像形成部で現像された前記第１と第２の粉体接着剤を前記第１と第２の画像形成部の転写部でそれぞれ転写し、
該２面に転写された前記第１と第２の粉体接着剤を前記定着器により定着する
ことを特徴とする請求項１記載の圧着用はがきの粉体接着剤塗布方法。
【請求項３】
前記２面に転写される前記第１と第２の粉体接着剤は、前記第１と第２の画像形成部の現像部でそれぞれ異なる量で現像されて転写される、ことを特徴とする請求項１又は２記載の粉体接着剤塗布方法。
【請求項４】
前記２面に転写される前記第１と第２の粉体接着剤は、前記２面のうち印刷画像の印刷比率が高い方の面に、より多く現像されて転写される、ことを特徴とする請求項３記載の粉体接着剤塗布方法。
【請求項５】
前記２面に転写される前記第１と第２の粉体接着剤は、前記２面の一方の面では前記第１の画像形成部の現像部で全面均一のベタ現像で現像された前記第１の粉体接着剤が転写され、前記２面の他方の面では前記第２の画像形成部の現像部で可変情報画像の印字部分のみに対応して現像された前記第２の粉体接着剤が転写される、ことを特徴とする請求項３記載の粉体接着剤塗布方法。
【請求項６】
前記２面に転写される前記第１と第２の粉体接着剤は、前記２面ともに可変情報画像の印字部分のみに対応して前記第１と第２の画像形成部にて現像された前記第１と第２の粉体接着剤が転写される、ことを特徴とする請求項３記載の粉体接着剤塗布方法。
【請求項７】
前記２面に転写される前記第１と第２の粉体接着剤は、前記２面の一方の面では全面均一のベタ現像で現像された前記第１の粉体接着剤が転写され、前記２面の他方の面では全面均一のベタ現像よりも低い現像率で現像された前記第２の粉体接着剤が転写される、ことを特徴とする請求項３記載の粉体接着剤塗布方法。
【請求項８】
前記２面の他方の面に転写される前記第２の粉体接着剤は、格子状に現像されて転写される、ことを特徴とする請求項７記載の粉体接着剤塗布方法。
【請求項９】
前記２面の他方の面に転写される前記第２の粉体接着剤は、網点状に現像されて転写される、ことを特徴とする請求項７記載の粉体接着剤塗布方法。
【発明の詳細な説明】
【技術分野】
【０００１】
本発明は、圧着用はがきの粉体接着剤塗布方法に関する。
【背景技術】
【０００２】
従来、特定の個人のみへ文字情報を伝達するために、一般に、文字記載物を封書の形態にし、開封後に始めて当該個人が文字情報を確認できるようにしていた。
近年、個人情報保護が厳しく問われるようにもなり、各種事業所等では、例えば、個人の各種データ、成績表、給与明細書等の個人情報は、これを文字記載物の内部の印字箇所に記録して、印字箇所の周縁部もしくは文字記載物の全面を接着や圧着により封筒状やカード状にして配布したりしている。
【０００３】
このうち、はがきサイズのカード状のものは圧着はがきと呼ばれており、通常の郵便はがきと同じ料金で利用できることから、情報提供者側の利便性が高い印字（印刷）情報秘匿システムとして、広告宣伝のダイレクトメール等にも汎用されている。
【０００４】
このような圧着はがき等による印字情報秘匿システムを利用するには、従来、専門の製造業者に委託するか、高価な圧着はがき等製造・印刷装置を導入するかして秘匿情報を作成していた。
【０００５】
これらの圧着はがき等製造・印刷装置を用いて秘匿情報を作成するには、接着剤を情報印字の後に塗布する方法や、情報印字の前に塗布する方法等があるが、いずれにしても秘匿情報を大量に作成するという前提が必須であり高価であった。
【０００６】
また、そのような製造業者への委託は、個人情報の流出の問題も潜在的に存在しており好ましい秘匿情報の作成方法とはいえない。
ところで、近年、パソコンやプリンタの発達と相侯って、小規模事業所や個人でも利用できるように、少量単位でも簡易に圧着はがきを作成できるようにしたものも提案されている。
【０００７】
例えば、感圧接着剤を予め塗布した剥離紙付きはがき用紙が販売されている。これは、２つ折り内部の印字面に所定の文字情報等を印字後に、感圧接着剤部分を圧着して投函用の圧着はがきを完成させるものである。
【０００８】
また、例えば、粘着フイルムとはがき用紙を一組にしたものが販売されている。これは、２つ折り内部の印字面に所定の文字情報等を印字後に、２つ折り内部に粘着フイルムを挟むようにして圧着して、投函用の圧着はがきを作成できるようにしたものである。
【０００９】
しかしながら、これでもコスト高は避けられず、取り扱いが煩雑であり、個人的に数枚の圧着はがきを作成するのなら良いが、ある程度の枚数単位で、安価で、迅速に、且つ対需要即応体制で作成できるものではない。
【００１０】
そこで、粘着剤を内包したマイクロカプセルから成るトナー状粘着剤を静電印刷法により基材の表面に転写してフラッシュ定着させ、接着時には圧力によりマイクロカプセルを破壊しカプセル内の粘着剤を浸出させるようにして、圧着はがきを容易に作成できるとする提案がなされている。また、この提案では、粘着剤を溶融、混練、粉砕した粉砕トナーも示唆されている。（例えば、特許文献１参照。）
【００１１】
また、事務用プリンタや複写機の交換用の印字用カートリッジに圧着用物質を入れて、それら事務用プリンタ又は複写機による印字作業と同様の操作で圧着用物質を官製はがきや封筒に塗布し、その後、圧着専用機にかけるようにし、圧着専用機にかけるところまでを１台のプリンタ又は複写機で出来るとする提案がなされている。また、この提案では、二つ折りの片面、三つ折の中央両面に圧着用物質を塗布することが示唆されている。（例えば、特許文献２参照。）
【００１２】
また、感熱接着剤を含むトナーを用い、電子写真方式により画像を対需要即応式で作成する方法が提案されている。この提案では、感熱接着剤の軟化温度は電子写真方式用のトナーの結着樹脂の軟化温度よりも高くなるように構成し、また、感熱接着剤の電子写真方式用トナーに占める割合を５〜６０重量％とし、また、感熱接着剤の組成は熱接着性樹脂、ホットメルト及びワックス類からなる群より選ばれる１種類以上を含むようにすることが提案されている。（例えば、特許文献３参照。）
【特許文献１】特開平０９−１０４８４９号公報（段落０００５、００１４、図１、図３、図６）
【特許文献２】特開２０００−００６５５３号公報（要約、図なし）
【特許文献３】特開２００４−１２６２３１号公報（段落００８５〜００８７、図なし）
【発明の開示】
【発明が解決しようとする課題】
【００１３】
しかしながら、特許文献１の技術は、マイクロカプセル式のトナーについては構成及び組成について記載されてはいるが、粉砕トナーについては単なる思い付き程度に示唆されているのみであり、具体的な組成、製法、及び用法についての記載がなく、これでは、この分野の当業者といえども有用な粉砕トナーを作成することは勿論、試作することさえ出来ない。
【００１４】
また、特許文献２の技術は、圧着専用機にかける前までの官製はがきや封筒による印字情報秘匿書類を作成するものであり、投函用に完成するには圧着専用機にかけなければならない点で利便性と経済性に欠けるものであり、また対需要即応性には程遠いものと言わざるを得ない。
【００１５】
また、特許文献３の技術では、単に感熱接着剤の軟化温度が電子写真方式用のトナーの結着樹脂の軟化温度よりも高く設定されているというのみで、感熱接着剤を含むトナーの詳細な処方等の説明はない。
【００１６】
ところで、対需要即応性のある圧着はがきの作成方法としては、個人的にも使用できる小型の電子写真式プリンタのトナーカートリッジに収容して使用可能な粉体接着剤を具体的に実現し、その粉体接着剤を現像、転写及び定着によって同プリンタで可変情報を印字（又は印刷、以下同様）した紙面に塗布できればよいと考えられる。
【００１７】
但し、そのように印字後の用紙に対する接着剤の塗布を電子写真式プリンタを用いて行うものとすると、粉体接着剤は通常のトナーとほぼ同様の形態のものでないと、接着剤として塗布（現像、転写、及び定着）は出来ないと考えられる。
【００１８】
しかしながら、トナー状の圧着はがき用粉体接着剤は、従来の提案技術である上記の各特許文献には思い付き程度に示唆されてはいるものの、既に述べたように具体的な材料処方も具体的な用法も開示されていない。
【００１９】
また、そのようなトナー状の圧着はがき用粉体接着剤は今日まで市場に流通もしていない。流通している圧着はがき用粉体接着剤は液状または粘着シート状のものだけである。
本発明の課題は、上記従来の実情に鑑み、具体的な材料処方から成る実用性のある圧着用はがきの粉体接着剤を作製してその実用的かつ具体的な塗布方法を提供することである。
【課題を解決するための手段】
【００２０】
本発明の粉体接着剤塗布方法は、三つ折り圧着用はがきの圧着すべき２面に一度の塗布処理で物性の異なる粉体接着剤をそれぞれ塗布するように構成される。
この粉体接着剤塗布方法は、例えば、少なくとも第１と第２の画像形成部と、定着器と、両面印刷搬送機構とを備え、上記第１と第２の画像形成部に物性の異なる第１と第２の粉体接着剤をそれぞれ収容し、該第１と第２の粉体接着剤を上記第１と第２の画像形成部の現像部でそれぞれ現像し、三つ折り圧着用はがきの三つ折り前の展開された長手方向を搬送方向として上記三つ折り圧着用はがきを搬送し、該三つ折り圧着用はがきの表面の圧着すべき２面に、上記第１と第２の画像形成部で現像された上記第１と第２の粉体接着剤を上記第１と第２の画像形成部の転写部でそれぞれ転写し、該２面に転写された上記第１と第２の粉体接着剤を上記定着器により定着し、上記両面印刷搬送機構により上記三つ折り圧着用はがきの裏面を表側に反転させて搬送し、上記第１と第２の粉体接着剤を上記第１と第２の画像形成部の現像部でそれぞれ現像し、上記三つ折り圧着用はがきの裏面の圧着すべき２面に、上記第１と第２の画像形成部で現像された上記第１と第２の粉体接着剤を上記第１と第２の画像形成部の転写部でそれぞれ転写し、該２面に転写された上記第１と第２の粉体接着剤を上記定着器により定着するように構成される。
【００２１】
また、この粉体接着剤塗布方法では、例えば、上記２面に転写される上記第１と第２の粉体接着剤は、上記第１と第２の画像形成部の現像部でそれぞれ異なる量で現像されて転写されるように構成される。
【００２２】
この場合、上記２面に転写される上記第１と第２の粉体接着剤は、例えば、上記２面のうち印刷画像の印刷比率が高い方の面に、より多く現像されて転写されるように構成される。
【００２３】
そして、上記２面に転写される上記第１と第２の粉体接着剤は、例えば、上記２面の一方の面では上記第１の画像形成部の現像部で全面均一のベタ現像で現像された上記第１の粉体接着剤が転写され、上記２面の他方の面では上記第２の画像形成部の現像部で可変情報画像の印字部分のみに対応して現像された上記第２の粉体接着剤が転写されるように構成される。
【００２４】
また、上記２面に転写される上記第１と第２の粉体接着剤は、例えば、上記２面ともに可変情報画像の印字部分のみに対応して上記第１と第２の画像形成部にて現像された上記第１と第２の粉体接着剤が転写されるように構成される。
【００２５】
また、上記２面に転写される上記第１と第２の粉体接着剤は、例えば、上記２面の一方の面では全面均一のベタ現像で現像された上記第１の粉体接着剤が転写され、上記２面の他方の面では全面均一のベタ現像よりも低い現像率で現像された上記第２の粉体接着剤が転写されるように構成される。
【００２６】
この場合、上記２面の他方の面に転写される上記第２の粉体接着剤は、例えば、格子状に現像されて転写され、また、例えば、網点状に現像されて転写されるように構成される。
【発明の効果】
【００２７】
本発明によれば、圧着すべき２面のうちの一方の面に塗布する粉体接着剤の量よりも他方の面に塗布する粉体接着剤の量が少なくなるように塗布するので、適度な接着力及び剥離性を維持しつつ比較的高価な粉体接着剤の使用量を可及的に低減させることができて経済的である。
【発明を実施するための最良の形態】
【００２８】
以下、本発明の実施の形態を図面を参照しながら説明する。
（実施形態１）
最初にトナー状の粉体接着剤の材料処方及び具体的な作製方法について実施形態１として説明する。
【００２９】
第１の物性の粉体接着剤としては、先ず、結着樹脂として軟化点１２０℃のポリエステル樹脂を１００質量％、帯電制御剤として日本カーリット社製の帯電制御剤ＬＲ−１４７を１質量％、ワックスとして三井化学製のポリエチレンワックスＮＰ−０５６を３質量％を用意する。
【００３０】
これらをケミカルミキサーで混合し、その混合物を二軸押出機によって溶融混練してから冷却し、粗砕した。更に、その粗砕物をＩ式ジェットミルによって粉砕し、その粉砕物を分級して、平均体積粒径９μｍの粉体粒子を得る。
【００３１】
そして、この粉体粒子を１００質量％と、流動性改良剤としての外添剤である日本アエロジル社製の微粒シリカＲＹ−５０を１質量％とを、へンシェルミキサーによって混合し、その混合物を篩別して、第１の粉体接着剤としての透明でトナー状の粉体接着剤Ａを得た。
【００３２】
次に第２の物性の粉体接着剤としては、先ず、結着樹脂として軟化温度１１０±４℃の炭化水素系樹脂（シクロオレフィンとエチレンの共重合体）９０質量％以上、帯電制御剤０．３〜３質量％、ワックス１〜９質量％を用意する。
【００３３】
これらを、ミキサーにて混合し、その混合物を二軸スクリュー混練機にて温度をかけながら混練し、この混練物を冷却し、機械式粉砕機にて２ｍｍ程度にまで粉砕し、気流式粉砕機にてさらに微粒子にまで粉砕し、適切な粒子径に分級を行う。
【００３４】
その後、この混練粉砕物を、シリコンオイル又はアルキルジシラザンにて表面処理済みのシリカ微粒子０．１〜５質量％（対混練粉砕品）及びアルミナを外添し、軟化温度１０６℃で、平均粒径（体積Ｄ５０）９．０μｍの第２の粉体接着剤としての透明でトナー状の粉体接着剤Ｂを得た。
【００３５】
上記の製法でも明らかなように第１の粉体接着剤と第２の粉体接着剤とは、相互に物性が異なっている。
（実施形態２）
次に、上記のように互いに物性の異なる粉体接着剤Ａ及びＢを塗布する装置及びそれを用いた粉体接着剤の基本的塗布方法について実施形態２として以下に説明する。
【００３６】
図１は、秘匿情報印字面に適宜の型式のプリンタで可変情報を印字した後の三つ折り圧着用はがきの上記可変情報の印字面に重ねて、上述した粉体接着剤Ａ及びＢを塗布するために使用される粉体接着剤塗布装置の主要部の構成を模式的に示す側断面図である。
【００３７】
同図において、粉体接着剤塗布装置１はケーブルによって不図示のパーソナルコンピュータ等のホスト機器に接続されている。同図に示すように粉体接着剤塗布装置１は、少なくとも第１の画像形成部２と、第２の画像形成部３と、定着器４と、両面印刷搬送機構５とを備えている。
【００３８】
上記第１の画像形成部２には、粉体接着剤Ａが収容され、第２の画像形成部３には粉体接着剤Ｂが収容されている。第１と第２の画像形成部２と３は、それぞれ収容されている粉体接着剤の物性が異なることを別にすれば、全体の構成は同一である。
【００３９】
そこで、第１の画像形成部２を取り上げて説明すれば、第１の画像形成部２は、少なくとも、光体ドラム６を中心にして、その感光体ドラム６の周面を取り囲むように配置された帯電器７、記録ヘッド８、粉体接着剤現像器９、その粉体接着剤現像器９の下部側面開口部に回転可能に保持される現像ローラ１１を備えている。上記感光体ドラム６と現像ローラ１１とは、その対向部で現像部を形成している。
【００４０】
更に、第１の画像形成部２には、上記の感光体ドラム６の下面に接して搬送ベルト１２が配置され、この搬送ベルト１２を介して感光体ドラム６の下面に圧接する転写ローラ１３が配置されている。上記感光体ドラム６、搬送ベルト１２及び転写ローラ１３は、それらの対向部で転写部を形成している。
【００４１】
上記の搬送ベルト１２は、駆動ローラ１４と従動ローラ１５に掛け渡されて張設され、図の反時計回り方向に循環移動するように構成されている。
そして、その搬送ベルト１２の、用紙搬送方向（図の右から左方向）下流側に定着器４が配置されている。定着器４は、少なくとも加熱ローラ１６と押圧ローラ１７を備えている。
【００４２】
図２(a) 〜(d) は、三つ折り圧着用はがきの三つ折り前の展開された状態と、それへの粉体接着剤の塗布状態を示す図である。
尚、以下の図では、粉体接着剤の塗布部分をハッチング（図２(b),(d) ）、ハーフトーン（図４(a) ）、黒べた又は黒模様（図５(b) 、図６(b) ）で示しているが、実際には粉体接着剤は前述したように透明であり、粉体接着剤を塗布した下地の紙面に予め印刷されている印刷画像（可変情報の印字文字又は画像、以下同様）は粉体接着剤の塗布層を通して透けて見えているものである。
【００４３】
また、三つ折り圧着用はがきの紙面に印刷されている印刷画像は、公開可能な情報及び秘匿すべき情報ともに、手元にあるプリンタ（機種は問わない）で個人的に印刷したものでよい。
【００４４】
図２(a) は、接着剤無加工の三つ折り圧着用はがき１８の宛名記載面１８−１を有する第１面（表面）の三つ折り前の展開した状態を示している。そして、同図(b) は、その第１面の圧着すべき２面１８−２及び１８−３に、物性の異なる粉体接着剤ＡとＢが塗布された状態を示している。
【００４５】
また、図２(c) は、上記接着剤無加工の三つ折り圧着用はがき１８の差出人の公開情報記載面１８−４を有する第２面（裏面）の三つ折り前の展開した状態を示している。そして、同図(d) は、その第２面の圧着すべき２面１８−５及び１８−６に、物性の異なる粉体接着剤ＡとＢが塗布された状態を示している。
【００４６】
この図２(a) 〜(d) 及び前述の図１を再び用いて、本発明における粉体接着剤の基本的塗布方法について以下に説明する。
先ず、上記第１と第２の画像形成部２及び３は、帯電器７で初期化帯電された感光体ドラム６の周面に、記録ヘッド８により所定のパターンの静電潜像を形成し、この静電潜像を、現像部で、現像ローラ１１により粉体接着剤Ａ及びＢをそれぞれ現像する。
【００４７】
搬送ベルト１２は、三つ折り圧着用はがき１８の三つ折り前の展開された長手方向を搬送方向として、三つ折り圧着用はがき１８を図１及び図２(a) の矢印ａで示すように搬送する。
【００４８】
第１の画像形成部２の現像部で現像された粉体接着剤Ａの現像パターンの先端が第１の画像形成部２の転写部に回転搬送されてくるタイミングで、その転写部に、三つ折り圧着用はがき１８の第１面の圧着すべき２面の一方の面１８−２の転写開始部が搬送されてくる。
【００４９】
その一方の面１８−２に、第１の画像形成部２の転写部により粉体接着剤Ａの現像パターンが転写される。
このように一方の面１８−２に粉体接着剤Ａの現像パターンを転写された三つ折り圧着用はがき１８は、引き続き搬送ベルト１２によって搬送され、その圧着すべき２面の他方の面１８−３の転写開始部が第２の画像形成部３の転写部に到達する。
【００５０】
そのタイミングで、第２の画像形成部３の現像部で現像された粉体接着剤Ｂの現像パターンの先端が第２の画像形成部３の転写部に回転搬送されてくる。
そして、上記他方の面１８−３に、第２の画像形成部３の転写部により粉体接着剤Ｂの現像パターンが転写される。
【００５１】
第１面の圧着すべき２面１８−２及び１８−３に、粉体接着剤Ａ及びＢをそれぞれ転写された三つ折り圧着用はがき１８は、図１及び図２(b) の矢印ｂで示すように搬送されて、第１面を上にして定着器４を通過し、通過しながら接着剤Ａ及びＢが三つ折り圧着用はがき１８の圧着すべき２面１８−２及び１８−３に定着される。
【００５２】
定着器４を通過した三つ折り圧着用はがき１８は、図１及び図２(b) の矢印ｃ及びｄで示すように、両面印刷搬送機構５によって搬送され、その先で搬送を切り返される。
両面印刷搬送機構５により搬送を切り返された三つ折り圧着用はがき１８は、切り返し前の搬送方向後端を切り返し後の搬送方向前端として、図１及び図２の矢印ｅ、ｆ、ｇ、ｈ及びｉで示すように搬送され、第２面を上にして搬送ベルト１２の上循環移動部による搬送状態となる。
【００５３】
そして、上記と同様の第１及び第２の画像形成部２及び３による粉体接着剤Ａ及びＢの感光体ドラム６への現像と、その現像パターンの三つ折り圧着用はがき１８の裏面の圧着すべき２面１８−５及び１８−６への転写が行われる。
【００５４】
その後、三つ折り圧着用はがき１８は、図１の及び図２(d) に示す矢印ｂで示すように搬送されて、第２面を上にして定着器４を通過し、通過しながら接着剤Ａ及びＢが三つ折り圧着用はがき１８の圧着すべき２面１８−５及び１８−５に定着される。
【００５５】
定着器４を通過した三つ折り圧着用はがき１８は、図１及び図２(b) の矢印ｊで示すように、搬送されて機外に排出され、粉体接着剤Ａ及びＢの三つ折り圧着用はがき１８の両面への塗布が完了する。
【００５６】
図３(a) は、そのように粉体接着剤Ａ及びＢを塗布された三つ折り圧着用はがき１８を三つ折りにした状態を示す図であり、同図(b) は、三つ折りにした三つ折り圧着用はがき１８を熱圧着する貼付け工程（投函直前の圧着はがきの状態に作成する工程）を示す図である。
【００５７】
尚、同図(b) に示す貼付け工程では、粉体接着剤塗布装置１の定着器４を用い、定着器４の定着温度は、三つ折り圧着用はがき１８が三つ折りで３倍の紙厚になっているので、高い定着温度で定着器４を通すようにする。もちろん貼付け専用機としてもよい。
【００５８】
上記の実施形態２では、三つ折り圧着用はがきへの物性の異なる粉体接着剤Ａ及びＢを用いた基本的塗布方法において、塗布の態様については説明しなかったが、塗布の態様にはさまざまな方法があるので、これについて実施形態３として以下に説明する。
【００５９】
（実施形態３）
本例においては、図１に示した粉体接着剤塗布装置１において、三つ折り圧着用はがき１８の圧着すべき２面（１８−２、１８−３、１８−５、１８−６）へ転写される第１の画像形成部２の現像部で現像された粉体接着剤Ａと第２の画像形成部３の現像部で現像された粉体接着剤Ｂとでは、それぞれ異なる量で現像されて転写される。
【００６０】
図４(a),(b) は、そのような粉体接着剤Ａ及びＢが、それぞれ異なる量で現像されて転写される具体的な塗布の態様を二例示す図である。尚、同図(a),(b) は、いずれも三つ折り圧着用はがき１８の宛名記載面１８−１を有する第１面（表面）を示している。
【００６１】
同図(a) は圧着すべき２面のうちの一方の面１８−２には粉体接着剤Ａがベタで現像されて転写され、他方の面１８−３では、印刷された印刷画像（図４(a) の例では英文字Ａ）の印字部分のみに対応して現像された粉体接着剤Ｂが塗布されている例を示している。
【００６２】
このように、２面のうちいずれか一方の面に粉体接着剤をベタに塗布するだけで２面を圧着したときは全面が隙間なく圧着される。そして、他方の面は、印刷画像の部分だけ粉体接着剤を塗布するので、２面を圧着後に剥離したときに、他方の面の印刷画像が対面へ転移することが防止されるとともに、一般に文字の印字率は全体の５％程度であるので、粉体接着剤の使用量を大幅に削減することができる。
【００６３】
また、図４(b) は、圧着すべき２面ともに、粉体接着剤Ａ及びＢが、印刷画像の部分だけに塗布されている例を示している。すなわち、２面のうちの一方の面１８−２では粉体接着剤Ａが印刷画像（英文字Ｂ）の部分にのみ塗布されており、他方の面１８−３でも粉体接着剤Ｂが印刷画像（英文字Ａ）の部分にのみ塗布されている。
【００６４】
このように、たとえ面全体に粉体接着剤を塗布しなくても、秘匿すべき印刷画像の部分には粉体接着剤が塗布されているので、２面を圧着後には、剥離しないかぎり印刷画像を見ることはできないから、圧着はがきの目的は達せられる。そして、この場合は２面ともに印刷部分にのみ粉体接着剤を用いているので、一層、粉体接着剤の使用量を大幅に削減することができる。
【００６５】
尚、秘匿情報が印刷された面の文字のみを覆うように粉体接着剤を塗布するには、文字データを元に粉体接着剤の塗布パターンを例えばパソコン（パーソナルコンピュータ）等で作成する。その塗布パターンデータを、図１に示した粉体接着剤塗布装置１の第１の画像形成部２又は第２の画像形成部３に送信して粉体接着剤Ａ又はＢを三つ折り圧着用はがき１８の圧着すべき２面に現像し転写し定着するとよい。
【００６６】
また、上記の例では、三つ折り圧着用はがき１８の宛名記載面１８−１を有する第１面（表面）を示して説明したが、図２(c),(d) に示した差出人の公開情報記載面１８−４を有する第２面（裏面）の場合も同様である。
【００６７】
また、図４(b) の例の場合、いずれか一方の面に粉体接着剤の縁取り塗布を行うようにすれば、粉体接着剤の使用量は若干増えるが圧着面の封止を完全にすることができる。
（実施形態４）
本例においては、図１に示した粉体接着剤塗布装置１において、三つ折り圧着用はがき１８の圧着すべき２面（１８−２、１８−３、１８−５、１８−６）へ転写される第１の画像形成部２の現像部で現像された粉体接着剤Ａと第２の画像形成部３の現像部で現像された粉体接着剤Ｂとでは、圧着すべき２面のうち印刷画像の印刷比率が高い方の面に対応する粉体接着剤が他面の粉体接着剤よりも、より多く現像されて転写されるように構成される。
【００６８】
尚、以下の説明では、印刷比率が高い方の面に対応する粉体接着剤を全面均一のベタ現像で現像して転写し、印刷比率が低い方の面に対応する粉体接着剤を全面均一のベタ現像よりも低い現像率で現像して転写する例をあげて説明する。
【００６９】
図５(a) は、三つ折り圧着用はがき１８の圧着すべき２面の印刷画像の印刷比率が異なる例を示す図であり、同図(b) は印刷画像の印刷比率が高い方の面に対応する粉体接着剤が他面の粉体接着剤よりも多く現像されて転写された例を示す図である。尚、同図(a),(b) も、三つ折り圧着用はがき１８の宛名記載面１８−１を有する第１面を示している。
【００７０】
図５(a) は、圧着すべき２面のうち一方の面１８−２の印刷比率が他方の面１８−３の印刷比率よりも印刷比率が高い場合の例を示している。そして、本例では、図(b) に示すように、印刷比率が高い方の面１８−２には粉体接着剤Ａが全面均一のベタ現像で現像されて転写されている。そして、印刷比率が低い方の面１８−３には、全面均一のベタ現像よりも低い現像率である格子状のパターンに現像された粉体接着剤Ｂが転写されている。
【００７１】
図６(a) は、圧着すべき２面のうち一方の面の印刷比率が他方の面の印刷比率よりも印刷比率が高い場合の例として図５(a) を再掲した図であり、同図(b) は印刷画像の印刷比率が高い方の面に対応する粉体接着剤が他面の粉体接着剤よりも多く現像されて転写された他の例を示す図である。
【００７２】
そして、この場合も、図(b) に示すように、印刷比率が高い方の面１８−２には粉体接着剤Ａが全面均一のベタ現像で現像されて転写されている。そして、印刷比率が低い方の面１８−３には、全面均一のベタ現像よりも低い現像率である網点状のパターンに現像された粉体接着剤Ｂが転写されている。
【００７３】
ところで、上記の実施形態１〜４では、物性の異なる２種類の粉体接着剤Ａ及びＢを圧着すべき２面にそれぞれ塗布することによって、２面を圧着後の剥離時に、接着剤塗布面の下地の紙面に予め印刷されていた文字や画像が反対面に転移する現象すなわち「字移り」のような不具合の発生を防止するようにしている。
【００７４】
本来、圧着はがきは、はがきの受取人のみに特別の情報を通知するための通信方式であり、したがって、はがきの受取人が圧着面を剥離して開封するまでは、その特別情報が外部から秘匿されている状態でなければならない。
【００７５】
上述の実施形態１〜４のように、手元のプリンタで印刷画像を印字し、その圧着すべき２面に小型の装置を用いて粉体接着剤を塗布して個人的に圧着はがきを作製できる場合はよいが、秘匿情報を印刷済みの大量の圧着はがきを、従来のように専門の圧着業者に委託する場合、印刷されている秘匿情報が無関係の外部に漏洩しないとも限らない。
【００７６】
（実施形態５）
上記のような場合に、印刷されている秘匿情報を可及的に暗号化して、秘匿情報の印刷面が人目に触れても判読できないようにする方法で、粉体接着剤を塗布する方法がある。これについて、実施形態５として以下に説明する。尚、本例では、説明を分かり易くするために二つ折り圧着はがきを例にとって説明する。
【００７７】
図７(a) 〜(d) は、実施形態５における粉体接着剤を塗布する前段の印刷工程を説明する図である。
先ず、図７(a) に示すような「ＡＢＣＤＥ」という可変情報からなる秘匿情報２０を圧着はがきに印刷するものとする。尚、本例では、この印刷すべき可変情報は、圧着すべき２面のうちの１面分の文字量である。
【００７８】
次に、図７(a) に示す「ＡＢＣＤＥ」の秘匿情報２０を、図７(b) に示すように、ランダムに分割して、第一群の分割可変情報２１と第二群の分割可変情報２２の二群に分割する。
【００７９】
続いて、圧着すべき２面のうちの一方の面に印刷する印字トナーの現像パターンを上記ランダムに二群に分割した第一群の分割可変情報に対応する画像（非反転画像）の形状２３に現像し、この現像パターンを、図７(d) に示すように、二つ折り圧着用はがき２４の圧着すべき２面の一方の面２４−１に転写する。
【００８０】
他方、圧着すべき２面のうちの他方の面に印刷する印字トナーの現像パターンを上記ランダムに二群に分割した第二群の分割可変情報を鏡面反転した画像（反転画像）の形状２５に現像し、この現像パターンを、図７(d) に示すように、二つ折り圧着用はがき２４の圧着すべき２面の他方の面２４−２に転写する。
【００８１】
この状態で、例えば、剥離性圧着接着剤の塗布専用業者に外注委託に出したとしても、圧着すべき２面２４−１及び２４−２に印刷されている秘匿情報は、見ただけでは判読することはできない。
【００８２】
勿論、剥離性圧着接着剤の塗布は、専用業者に外注委託しなくても、上述の実施形態１〜４で述べたように、小型簡略な粉体接着剤塗布装置１を用いて塗布するようにしてもよい。
【００８３】
尚、本例で使用すべき粉体接着剤は、圧着すべき２面２４−１及び２４−２ともに同一物性の粉体接着剤を用いるようにする。好ましくは、通常のトナーに近似の物性の（但し、染料や顔料等の色材を含まない）もの、例えば実施形態１〜４で使用した粉体接着剤Ａのような組成であることが望ましい。
【００８４】
換言すれば、本来の場合は、対向する２面に塗布して圧着後に剥離したとき、字移りがするような接着剤であることが条件となる。
図８(a) は、上記秘匿情報印刷済みの二つ折りはがき２４に粉体接着剤が塗布された状態を示す図であり、図８(b) は、その二つ折りはがき２４を投函可能状態に圧着する圧着工程を示す図、図８(c) は、その圧着後に、二つ折りはがき２４の受取人が圧着面を開封したときの印刷面の状態を示す図である。
【００８５】
図８(a),(b) の段階では、前述したように、たとえ接着剤塗布や圧着処理の委託を受けた業者内部の大勢の作業員の目に触れても、二つ折りはがきの２面２４−１及び２４−２に印刷されている秘匿情報は、見ただけでは判読することはできない。
【００８６】
そして、この二つ折りはがき２４が圧着後に投函され、その二つ折りはがき２４の受取人が、図８(c) に示すように、圧着面を開封したとき、開封面の印刷情報が対面に字移りしているため、ランダムに二群に分割されてそれぞれ２面に印刷されていた分割可変情報が、対向面で一体となり、２面の一方の面２４−１では非反転画像として現れ、他方の面２４−２では鏡面反転画像として現れてくるようになっている。
【００８７】
この二つ折りはがき２４の受取人は、非反転画像の方を見ることによって秘匿情報を容易に読み取ることができる。
尚、本例の実施形態では、秘匿情報を横方向にランダムに切り分けて二群に分割しているが、これに限ることなく、縦方向の切り分け、中抜きと残り部分の二分割など、二群又は二組に分ける方法又は組み合わせは、どのような組み合わせ方法でもよい。要は、分割された非反転部分の組と、他の鏡面反転部分の組とが一体に組み合わされたとき正しい文字になれば良い。
【図面の簡単な説明】
【００８８】
【図１】実施形態２において三つ折り圧着用はがきに物性の異なる２種類の粉体接着剤を塗布するために使用される粉体接着剤塗布装置の主要部の構成を模式的に示す側断面図である。
【図２】(a) 〜(d) 実施形態２における三つ折り圧着用はがきの三つ折り前の展開された状態とそれへの粉体接着剤の塗布状態を示す図である。
【図３】(a) は実施形態２における粉体接着剤を塗布された三つ折り圧着用はがきを三つ折りにした状態を示す図、(b) は三つ折りにした三つ折り圧着用はがきを熱圧着する貼付け工程を示す図である。
【図４】(a),(b) は実施形態３として２種類の粉体接着剤がそれぞれ異なる量で現像されて転写される具体的な塗布の態様を二例示す図である。
【図５】(a) は実施形態４として三つ折り圧着用はがきの圧着すべき２面の印刷画像の印刷比率が異なる例を示す図、(b) は印刷画像の印刷比率が高い方の面に対応する粉体接着剤が他面の粉体接着剤よりも多く現像されて転写された例を示す図である。
【図６】(a) は実施形態４として三つ折り圧着用はがきの圧着すべき２面の印刷画像の印刷比率が異なる例を示す図、(b) は印刷画像の印刷比率が高い方の面に対応する粉体接着剤が他面の粉体接着剤よりも多く現像されて転写された他の例を示す図である。
【図７】(a) 〜(d) は実施形態５における粉体接着剤を塗布する前段の印刷工程を説明する図である。
【図８】(a) は秘匿情報印刷済みの二つ折りはがきに粉体接着剤が塗布された状態を示す図、(b) は二つ折りはがきを投函可能状態に圧着する圧着工程を示す図、(c) はその二つ折りはがきの受取人が圧着面を開封したときの印刷面の状態を示す図である。
【符号の説明】
【００８９】
１      粉体接着剤塗布装置
２      第１の画像形成部
３      第２の画像形成部
４      定着器
５      両面印刷搬送機構
６      光体ドラム
７      帯電器
８      記録ヘッド
９      粉体接着剤現像器
１１    現像ローラ
１２    搬送ベルト
１３    転写ローラ
１４    駆動ローラ
１５    従動ローラ
１６    加熱ローラ
１７    押圧ローラ
１８    三つ折り圧着用はがき
１８−１  宛名記載面
１８−２、１８−３  第１面の圧着すべき２面
１８−４  差出人の公開情報記載面
１８−５、１８−６  第２面の圧着すべき２面
２０    秘匿情報
２１    第一群の分割可変情報
２２    第二群の分割可変情報
２３    非反転画像の形状
２４    二つ折り圧着用はがき
２４−１  圧着すべき一方の面
２４−２  圧着すべき他方の面
２５    鏡面反転画像の形状
【図２】
2007050567.tif 000003
【図３】
2007050567.tif 000004
【図７】
2007050567.tif 000005
【図１】
2007050567.tif 000006
【図４】
2007050567.tif 000007
【図５】
2007050567.tif 000008
【図６】
2007050567.tif 000009
【図８】
2007050567.tif 000010